(57)【特許請求の範囲】
【請求項１】
背もたれを構成するバックフレームにおける左右横長のアッパーメンバーに取付けられるハンガー装置又はヘッドレスト装置であって、
前記バックフレームのアッパーメンバーに前から重なるフロント部材及び前記バックフレームのアッパーメンバーに後ろから重なるリア部材とより成る保持部と、前記保持部に高さ変更可能に装着される支柱部と、前記支柱部の上端に設けたバー部又はヘッドレスト部とを有しており、前記フロント部材とリア部材とで前記バックフレームのアッパーメンバーを挟み固定するようになっている一方、
前記支柱部は板状であり、前記リア部材及びフロント部材の全体を後ろから覆うように配置されている、
椅子用のハンガー装置又はヘッドレスト装置。
【請求項２】
前記支柱部は、前記リア部材を後ろから覆った状態で左右側部が前記フロント部材に上高さ変更可能に嵌まっている、
請求項１に記載した椅子用のハンガー装置又はヘッドレスト装置。
【請求項３】
前記支柱部は、前記フロント部材によって左右移動が規制されて、前記リア部材によって上向き抜けが規制されている、
請求項１又は２に記載した椅子用のハンガー装置又はヘッドレスト装置。
【請求項４】
前記支柱部の左右側部には上下に長い蟻溝が形成されており、前記フロント部材の左右側部が前記蟻溝に嵌まることで、前記支柱部の上下動がガイドされている、
請求項１〜３のうちのいずれかに記載した椅子用のハンガー装置又はヘッドレスト装置。
【請求項５】
背もたれを構成するバックフレームにおける左右横長のアッパーメンバーに取付けられるハンガー装置又はヘッドレスト装置であって、
前記バックフレームのアッパーメンバーに固定される保持部と、前記保持部に高さ変更可能に装着される支柱部と、前記支柱部の上端に設けたバー部又はヘッドレスト部とを有しており、前記保持部に、前記支柱が後ろから又は前から重なっている構成において、
前記保持部のリア部材と支柱部との間には、支柱部を上昇位置に保持する操作部材が配置されており、前記操作部材と支柱部とに、互いに係合して支柱部を上昇位置に保持する係合部が設けられており、かつ、前記操作部材には、人の操作によって前記係合部の係合を解除する操作部が設けられている、
椅子用のハンガー装置又はヘッドレスト装置。
【請求項６】
背もたれを構成するバックフレームにおける左右横長のアッパーメンバーに取付けられるハンガー装置又はヘッドレスト装置であって、
前記バックフレームのアッパーメンバーに前から重なるフロント部材及び前記バックフレームのアッパーメンバーに後ろから重なるリア部材とより成る保持部と、前記フロント部材に高さ変更可能に装着された支柱部と、前記支柱部の上端に設けたバー部又はヘッドレスト部とを有しており、前記フロント部材とリア部材とで前記バックフレームのアッパーメンバーを挟み固定するようになっている一方、
前記フロント部材に、前記アッパーメンバーの後ろにおいて前記支柱部が上下動自在に嵌まるガイド手段を設けている、
椅子用のハンガー装置又はヘッドレスト装置。
【請求項７】
請求項１〜６のうちのいずれかに記載したハンガー装置又はヘッドレスト装置を取り付けた椅子であって、
前記バックフレームの前面には人の体圧を支えるサポート体を取付けており、かつ、前記バックフレームのアッパーメンバーとサポート体との間のうち少なくとも左右中間部には上下に開口した空間が空いており、前記保持部を前記空間に部分的に露出するように配置している、
ハンガー装置又はヘッドレスト装置付きの椅子。
【発明の詳細な説明】
【技術分野】
【０００１】
本願発明は、椅子用のハンガー装置又はヘッドレスト装置及びこれを備えた椅子に関するものである。
【背景技術】
【０００２】
椅子において、背もたれに衣服やタオルなどを掛けるハンガー装置を取り付けることが行われている。ハンガー装置には高さを変更できる昇降式（可動式）と高さを変更できない固定式とがあり、昇降式のハンガー装置は、背もたれに固定される保持部とこれに昇降可能に取付けられたハンガー本体とで構成されている。
【０００３】
他方、椅子の背もたれとして、正面視略四角形のバックフレームの前面に着座者の体圧を受けるサポート体が取付けられた形態のものがある。このタイプの椅子では、ハンガー装置は、一般に、バックフレームを構成する左右横長のアッパーメンバーに取り付けている。
【０００４】
その一例が特許文献１に記載されており、この特許文献１では、ハンガー本体の支柱を保持部材でバックフレームのアッパーメンバーに後ろから押さえており、更に、バックフレームのサイドメンバーにばねで後ろ向きに押されたボールを設け、このボールをハンガー本体の支柱に形成された穴に係合させることにより、ハンガー本体を、その昇降操作を許容しつつ所定の高さに保持している。
【先行技術文献】
【特許文献】
【０００５】
【特許文献１】特開２００４−１７４１４５号公報
【発明の概要】
【発明が解決しようとする課題】
【０００６】
さて、ハンガー装置はオプション品であり、ハンガー装置を取り付けない状態で使用することも多い。しかるに、特許文献１では、ハンガー装置を使用しない状態で保持部材を取付けたままにしておくと体裁が良くないおそれがあり、さりとて、保持部材を取り外すと、バックフレームのアッパーメンバーに設けたボール保持穴が露出することになり、これまた体裁が良くない。更に、特許文献１では、保持部材は後ろ側のみからアッパーメンバーに固定されているに過ぎないため、固定強度を高くできないおそれもある。
【０００７】
本願発明はこのような現状を改善すべく成されたものであり、改良されたハンガー装置又はヘッドレスト装置を提供することを課題としている。更に本願発明は、ハンガー装置又はヘッドレスト装置が好適に取付けられた椅子の提供も課題としている。
【課題を解決するための手段】
【０００８】
本願発明は、背もたれを構成するバックフレームにおける左右横長のアッパーメンバーに取付けられるハンガー装置又はヘッドレスト装置であって、
前記バックフレームのアッパーメンバーに前から重なるフロント部材及び前記バックフレームのアッパーメンバーに後ろから重なるリア部材とより成る保持部と、前記保持部に高さ変更可能に装着される支柱部と、前記支柱部の上端に設けたバー部又はヘッドレスト部とを有しており、前記フロント部材とリア部材とで前記バックフレームのアッパーメンバーを挟み固定するようになっている一方、前記支柱部は板状であり、前記リア部材及びフロント部材の全体を後ろから覆うように配置されている。
【０００９】
請求項２の発明は、請求項１において、前記支柱部は、前記リア部材を後ろから覆った状態で左右側部が前記フロント部材に上高さ変更可能に嵌まっている。
請求項３の発明は、請求項１又は２において、前記支柱部は、前記フロント部材によって左右移動が規制されて、前記リア部材によって上向き抜けが規制されている。
請求項４の発明は、請求項１〜３のうちのいずれかにおいて、前記支柱部の左右側部には上下に長い蟻溝が形成されており、前記フロント部材の左右側部が前記蟻溝に嵌まることで、前記支柱部の高さ調節が許容されている。
【００１０】
請求項５の発明は、背もたれを構成するバックフレームにおける左右横長のアッパーメンバーに取付けられるハンガー装置又はヘッドレスト装置であり、前記バックフレームのアッパーメンバーに固定される保持部と、前記保持部に高さ変更可能に装着される支柱部と、前記支柱部の上端に設けたバー部又はヘッドレスト部とを有しており、前記保持部に、前記支柱が後ろから又は前から重なっている構成において、前記保持部のリア部材と支柱部との間には、支柱部を上昇位置に保持する操作部材が配置されており、前記操作部材と支柱部とに、互いに係合して支柱部を上昇位置に保持する係合部が設けられており、かつ、前記操作部材には、人の操作によって前記係合部の係合を解除する操作部が設けられている。
請求項６の発明は、 背もたれを構成するバックフレームにおける左右横長のアッパーメンバーに取付けられるハンガー装置又はヘッドレスト装置であって、
前記バックフレームのアッパーメンバーに前から重なるフロント部材及び前記バックフレームのアッパーメンバーに後ろから重なるリア部材とより成る保持部と、前記フロント部材に高さ変更可能に装着された支柱部と、前記支柱部の上端に設けたバー部又はヘッドレスト部とを有しており、前記フロント部材とリア部材とで前記バックフレームのアッパーメンバーを挟み固定するようになっている一方、前記フロント部材に、前記アッパーメンバーの後ろにおいて前記支柱部が上下動自在に嵌まるガイド手段を設けている。
【００１１】
請求項７の発明は椅子に関する。すなわちこの発明は、請求項１〜６のうちのいずれかに記載したハンガー装置又はヘッドレスト装置を取り付けた椅子において、前記バックフレームの前面には人の体圧を支えるサポート体を取付けており、かつ、前記バックフレームのアッパーメンバーとサポート体との間のうち少なくとも左右中間部には上下に開口した空間が空いており、前記保持部を前記空間に部分的に露出するように配置している。
【発明の効果】
【００１２】
本願発明では、ハンガー装置又はヘッドレスト装置の支柱部は保持部に取付けているため、バックフレームに穴を空ける必要はない。このため、ハンガー装置やヘッドレスト装置を取付けていない状態で体裁が悪くなることはない。また、保持部が支柱部で後ろから覆われているため、いわば支柱部がカバー機能を発揮しており、このため、他にカバー部材を要しないという利点もある。更に、支柱部が露出していてその高さ位置が一目瞭然であるため、支柱部が保持部から抜けかけた状態で使用するといった不具合も防止できる。
【００１３】
また、フロント部材とリア部材とでアッパーメンバーを挟む構成を採用しているため、高い取付け強度を確保できる利点がある。また、高さ調節手段として特許文献１が採用しているいわゆるボールキャッチ方式は、昇降を軽い力で行えるようにすると高さ保持機能が低下し、さりとて、高さ保持機能をアップさせると昇降操作に大きな力を要するという問題があるが、請求項５のように操作部材を設けると、高さ保持機能を確保しつつ軽い力で昇降させることができる。
【００１４】
本願発明のハンガー装置又はヘッドレスト装置は、請求項７の構成の椅子においてその真価が強く発揮されると言える。すなわち、バックフレームにおけるアッパーメンバーの手前に空間が空いていることにより、バックフレームをフロント部材とリア部材とで前後から挟持することが可能になって、ハンガー装置やヘッドレスト装置をバックフレームのアッパーメンバーにしっかりと取付けできるのである。
【図面の簡単な説明】
【００１５】
【図１】実施形態に係る椅子の正面図である。
【図２】（Ａ）は背もたれの部分平面図、（Ｂ）は分離斜視図である。
【図３】（Ａ）は要部を前から見た破断斜視図、（Ｂ）は要部を後ろから見た破断斜視図である。
【図４】（Ａ）は要部の分離破断斜視図、（Ｂ）は要部の断面斜視図である。
【図５】（Ａ）はフロント部材を上後方から見た破断斜視図、（Ｂ）はリア部材を上後方から見た破断斜視図、（Ｃ）はリア部材を前下方から見た破断斜視図、（Ｄ）はフロント部材を後ろ下方から見た破断斜視図である。
【図６】（Ａ）（Ｂ）はリア部材を後ろから見た破断斜視図、（Ｃ）は操作部材を後ろから見た斜視図、（Ｄ）は操作部材を前上方から見た斜視図である。
【図７】（Ａ）はリア部材を後ろから見た破断斜視図、（Ｂ）は操作部材を前から見た破断斜視図である。
【図８】（Ａ）はハンガー本体を下降させ切った状態での縦断側面図、（Ｂ）はハンガー本体を上昇位置（使用位置）にした状態での縦断側面図、（Ｃ）は動きを説明するための断面図である。
【発明を実施するための形態】
【００１６】
次に、本願発明の実施形態を図面に基づいて説明する。本実施形態は、事務用に多用されている回転椅子に適用している。以下の説明では方向を特定するための「前後」「左右」の文言を使用するが、これら前後・左右の方向は、普通に着座した状態の人の向きを基準にしている。本実施形態はハンガー装置に適用している。
【００１７】
(1).椅子の概要・ハンガー装置の概要
図１に示すように、椅子は、主要要素として、脚支柱（図示せず）の上端に固定されたベース１、ベース１の上方に配置された座２、座２の後ろに配置した背もたれ３を備えている。背もたれ３にハンガー装置４を取付けている。
【００１８】
背もたれ３は、樹脂製のバックフレーム５に樹脂製の背板６を取付けた構造になっている。バックフレーム５は、上下長手の左右一対のサイドメンバー７と、その上端に繋がった左右横長のアッパーメンバー８と、左右サイドメンバー７の下端に繋がったロアメンバー９とを有しており、左右サイドメンバー７の下端からアーム１０が前向きに延びており、アーム１０がベース１に後傾動自在に連結されている。詳細は省略するが、アーム１０は、ベース１にスイング部材を介して連結されている。
【００１９】
背板６はサポート体の一例であり、横長の溝穴が多段に形成されている。このため体圧で容易にベンディングする。背板６はそのまま露出させた状態で使用することも可能であるが、一般には、メッシュ状の表皮材を張ったり、薄いクッション材を張ったりして使用される。サイドメンバー７は前向きに開口した溝形になっており、その内部に形成した係合手段を利用して背板をビス無しで取付けている（背板６にも係合手段を設けている。）。
【００２０】
図２（Ａ）に明示するように、バックフレーム５を構成するアッパーメンバー８は、基本的には平面視で後ろ向き凸状に湾曲しているが、左右両側部を除いて前向きに開口した状態に切欠かれており、このため、アッパーメンバー８と背板６との間に中間部から左右両側に広がる上下開口の空間１１が存在している。そして、この空間１１の左右中間部の箇所で、アッパーメンバー８にハンガー装置４を取付けている。この点を詳述する。
【００２１】
(2).ハンガー装置の詳細
図３，４に示すように、アッパーメンバー８のうち空間１１に位置した部分は上下長い基本形になっており、その前面には凹溝１３が形成されている。そして、ハンガー装置４は、横長のバー部１４の左右中間部から支柱部１５を垂下したハンガー本体１６と、アッパーメンバー８に前から重なるフロント部材１７と、アッパーメンバー８に後ろから重なるリア部材１８と、リア部材１８に後ろから取付けられた操作部材１９とを有している。フロント部材１７とリア部材１８と操作部材１９とで請求項に記載した保持部が構成されている。
【００２２】
例えば図３から理解できるように、ハンガー本体１６における左右両側縁には、手前に位置した蟻リブ２１を設けることで内向きに開口した蟻溝２０が形成されている。また、図４に示すように、支柱部１５の下端寄り部位には第１係合突起２２を形成し、その上には左右２つの第２係合突起２３を形成している。両係合突起２２，２３は側面視山形であり、第１係合突起２２は下側に傾斜ガイド面２２ａを有している。
【００２３】
他方、第２係合突起２３は、その上部には、支柱部１５の軸線と成す角度が小さい（大きく寝た）上傾斜ガイド面２３ａを有しており、下部には、上傾斜ガイド面２３ａよりも大きい角度の下傾斜ガイド面２３ｂを有している。
【００２４】
フロント部材１７は側面視で後ろ向き開口コの字状の形態であり、その前内面には、アッパーメンバー８の凹溝１３に嵌まる左右一対のインナー凸部２４を形成している。左右インナー凸部２４の間には位置決め溝２５が空いており、アッパーメンバー８の凹溝１３には、フロント部材１７の位置決め溝２５に嵌まる規制リブ２６を形成している。このため、保持部の（ハンガー装置４の）左右位置が正確に位置決めされている。
【００２５】
図３（Ａ）や図５（Ａ）に示すように、フロント部材１７の左右後端部には、ハンガー本体１６における支柱部１５の蟻溝２０の部分が嵌まる蟻ホゾ部２８を形成している。図４に明示するように、リア部材１８は、アッパーメンバー８を上下と後ろから抱持するように側面視コの字形の形態になっており、その下端部には側面視鉤形の第１係合爪２９を形成して、これをフロント部材１７に設けた第１係合部３０に係止している。
【００２６】
また、図５（Ｃ）（Ｄ）から理解できるように、リア部材１８の上部とフロント部材１７の上部とには、互いに嵌まり合う左右一対ずつの第１雄形規制部３１と第１雌形規制部３２とを形成している（図５では各部材の縮尺は統一していない。）。これら規制部３１，３２で互いの姿勢を保持した状態で、第１係合爪２９と第１係合部３０とが係合していることにより、フロント部材１７とリア部材１８とは、アッパーメンバー８を前後から抱いた状態にしっかりと保持されている。なお、図５及び図６では、嵌め合いを示すため、便宜的に矢印Ａ，Ｂ，Ｃで表示している。
【００２７】
図４（Ｂ）や図６（Ｂ）（Ｄ）から理解できるように、操作部材１９とリア部材１８とは、互いに嵌まり合ってずれ不能に保持されている。すなわち、操作部材１９には前向きに突出した第２雄形規制部３３を設け、リア部材１８には第２雌形規制部３４を設けて、これらを嵌め合わせて上下方向と左右方向と前後とにずれ不能に保持している。また、操作部材１９に平面視鉤形の第２係合爪３５が前向き突設されている一方、リア部材１８には、第２係合爪３５が弾性に抗しての変形によって係合する第２係合部３６を形成している。
【００２８】
操作部材１９には、下向きに延びる帯状の操作片３７を形成しており、操作片３７の付け根に近い部位に第３係合突起３８を形成している。図８（Ｂ）に示すように、第３係合突起３８は下面を係合面として上面を傾斜ガイド面３８ａとしており、係合面が支柱部１５の第１係合突起２２に上から当接するようになっている。これにより、支柱部１５は所定高さで上向き抜け不能に保持されている（ハンガー本体１６を誤って上向きに引いても抜けることはない。）。
【００２９】
操作部材１９の後面には、支柱部１５の第２係合突起２３が上から当接し得る側面視山形の第４係合突起３９を設けている。これにより、支柱部１５は所定高さで落下不能に保持されている。操作部材１９とリア部材１８との間には弾性手段の一例としてブロック状のゴム４０を介在させている。ゴム４０は、リア部材１８に設けたポケット部４１に嵌め込まれている。
【００３０】
支柱部１５が操作部材１９の第４係合突起３９に上から当接していることにより、支柱部１５は（ハンガー本体１６は）、使用状態の高さ位置に保持される。また、ハンガー本体１６にある程度の下向き力を掛けると、第２係合突起２３に押されて第４係合突起３９がゴム４０の弾性に抗して後退し、このため支柱部１５は（ハンガー本体１６は）は押し下げられて、図８（Ａ）のような格納高さに移行させ得る。
【００３１】
他方、操作部材１９における操作片３７の下端に指先を当てて手前に引くと、主として当該操作片３７の撓み変形によって第３係合突起３８が後退し、これにより、第３係合突起３８が支柱部１５の第１係合突起２２から外れる。従って、ハンガー本体１６は、ある程度の力を掛けると、第２係合突起２３が第４係合突起３９を乗り越えて抜き外される。
【００３２】
他方、ハンガー本体１６をある程度の力で下向きに押すと、操作部材１９がゴム４０の弾性に抗して手前に移動することによって、支柱部１５の第２係合突起２３が操作部材１９の第４係合突起３９を乗り越え、これにより、ハンガー本体１６は図９（Ａ）に示す最下降位置まで押し下げられる。
【００３３】
本実施形態では、第２係合突起２３の上傾斜ガイド面２３ａを大きく寝かせた角度にしているため、ハンガー本体１６の抜き外しを軽い力で行える。他方、第２係合突起２３の下傾斜ガイド面２３ｂは支柱部１６に対してかなり起きた角度になっているため、ある程度の力を掛けないとハンガー本体１６を押し下げることはできない。従って、例えば人が軽く触った程度で下がるような不具合は生じない。
【００３４】
第２係合突起２３を複数設けて、複数段の高さ位置で使用できるようにすることも可能である。特に、ヘッドレスト装置に適用する場合は、第２係合突起２３を短い上下間隔で多数設けることによって高さを小刻みに調節できるようにすると、人の体格や好みに対応できて好適である。
【００３５】
(3).まとめ
以上のとおり、操作部材１９を操作することで、ハンガー本体１６の高さを簡単に切り換えたり抜き外したりすることができる。また、フロント部材１７とリア部材１８と操作部材１９との後面は複雑な形状になっているが、これらはハンガー本体１６の支柱部１５で後ろから覆われていて人は視認できないため、美観に優れている。また、フロント部材１７とリア部材１８とでアッパーメンバー８がしっかりと挟まれているため、支持強度も高い。
【００３６】
更に、フロント部材１７は、アッパーメンバー８に規制されることなく任意の上下高さに設定できるため、フロント部材１７の上下高さをできるだけ大きくして支柱部１５のガイド機能をアップできる。フロント部材１７とリア部材１８とは例えばビスで締結することも可能であるが、本実施形態のように雌雄規制部の嵌め合わせや爪の弾性変形を利用した係合手段を利用すると、組み立て・取り外しをワンタッチ的に行える利点がある。
【００３７】
図８（Ｃ）に示すように、リア部材１８に設けた第１係合爪２９は、例えばマイナスドライバＤのような操作具で押し上げる（或いは、マイナスドライバＤをフロント部材１７と第１係合爪２９との間の隙間に差し込んで手前にこじる）と、フロント部材１７の第１係合部３０から離脱させることができる。従って、保持部は簡単に分解（取り外し）できる。すなわち、組み立て・分解をワンタッチ的に行えるのである。
【００３８】
操作部材１９を支柱部１５に向けて付勢する弾性手段としてはコイルばねのようなばねも使用できるが、本実施形態のようにゴム４０を使用すると、ゴム４０はポケット部４１に脱落不能に保持しておけるため、取り扱いが容易である。また、支柱部１５はリア部材１８に取付けることも可能であるが、本実施形態のようにフロント部材１７に装着すると、フロント部材１７と支柱部１５とでリア部材１８及び操作部材１９が前後から挟まれるため、全体として堅牢な状態になる利点がある。
【００３９】
(4).他のバリエーション
本願発明の一つの実施形態を説明したが、本願発明は上記の実施形態の他にも様々に具体化できる。例えばフロント部材やリア部材、或いは操作部材の形態は必要に応じて変更できる。支柱部のガイド手段としては、リア部材のような保持部を構成する部材に蟻溝を形成して、支柱部に蟻ホゾ部を形成することも可能である。
【産業上の利用可能性】
【００４０】
本願発明は椅子に適用して有用性を発揮できる。従って産業上利用できる。
【符号の説明】
【００４１】
３  背もたれ
４  ハンガー装置
５  バックフレーム
６  サポート体の一例としての背板
７  サイドメンバー
８  アッパーメンバー
１１  空間
１４  ハンガー本体のバー部
１５  ハンガー本体の支柱部
１６  ハンガー本体
１７  フロント部材
１８  リア部材
１９  操作部
２０  蟻溝
２２，２３，３８，３９  係合部を構成する係合突起
３７  操作片
４０  ゴム
【図１】
0005576110.tif 000002
【図２】
0005576110.tif 000003
【図３】
0005576110.tif 000004
【図４】
0005576110.tif 000005
【図５】
0005576110.tif 000006
【図６】
0005576110.tif 000007
【図７】
0005576110.tif 000008
【図８】
0005576110.tif 000009